(57)【要約】【課題】孔版印刷装置等を含む印刷装置の不使用時（非稼働中）における不要電力の浪費を完全に防止することができる印刷装置を提供する。【解決手段】孔版印刷装置１の不使用時において、オートシャットオフモードへ移行するための所定の条件を満足したときに、主電源スイッチ１２６のオートシャットオフスイッチ１２７を切る動作方式であるオートシャットオフモードを実行させるＣＰＵ１５１と、オートシャットオフモードへ移行する際に、孔版印刷装置１の各部・装置の状態を記憶するＲＡＭ１５２とを制御部８に有している。【選択図】図１
2006142664.tif 000002
【特許請求の範囲】
【請求項１】
版胴にマスタを巻装して印刷を行う印刷装置において、
前記印刷装置の不使用時に制御によって主電源スイッチを切るオートシャットオフモードを実行することが可能であり、該オートシャットオフモードへ移行する際に、前記印刷装置の状態を記憶することを特徴とする印刷装置。
【請求項２】
前記オートシャットオフモードヘの移行時間および／または該オートシャットオフモードヘ移行するか否かに関して、任意に設定可能であることを特徴とする請求項１記載の印刷装置。
【請求項３】
前記印刷装置が、作動中状態、サービスマンコール状態、ジャム報知状態、版胴にマスタが巻装されていない状態のうちの何れか１つの状態の場合、前記オートシャットオフモードへの移行を禁止することを特徴とする請求項１または２記載の印刷装置。
【請求項４】
コンピュータ等の周辺装置が接続可能であり、該コンピュータからの画像情報を入力可能とする入出力仲介装置を介して該コンピュータが接続されている場合、前記オートシャットオフモードヘの移行を禁止することを特徴とする請求項１，２または３記載の印刷装置。
【請求項５】
画像読取部、製版部、排版部、印刷部、給紙部および排紙部のうちの少なくとも該印刷部、該給紙部および該排紙部を有し、該印刷部に設けられた版胴にマスタを巻装して印刷を行う印刷装置において、
前記印刷装置の不使用時に制御によって主電源スイッチを切るオートシャットオフモードを実行することが可能であり、
前記オートシャットオフモードへ移行する際に、前記各部のうちの少なくとも１つの状態を記憶する装置状態記憶手段と、
前記オートシャットオフモードが電源再投入により解除されたときに、前記装置状態記憶手段に記憶された前記各部の状態と前記解除時の前記各部の状態とを比較する比較手段とを有し、
前記オートシャットオフモード時の前記各部の状態と前記解除時の前記各部の状態とが同じ場合、初期化動作はしないことを特徴とする印刷装置。
【発明の詳細な説明】
【技術分野】
【０００１】
本発明は、孔版印刷装置等を含む印刷装置に関する。
【背景技術】
【０００２】
多孔性の支持円筒体等からなる版胴と、例えば熱可塑性樹脂フィルムに多孔性支持体を貼り合わせたラミネート構造のマスタとを用い、マスタの熱可塑性樹脂フィルムをサーマルヘッドで加熱溶融穿孔・製版した後に版胴に巻装し、版胴内部に設けられたインキ供給手段で版胴の内周面に適量のインキを供給して、プレスローラや圧胴等の押圧手段で印刷用紙を版胴に押圧することにより、版胴の開孔部、マスタの穿孔部より滲出したインキを印刷用紙に転移させて印刷を行う感熱デジタル式の孔版印刷装置が知られている。
このような孔版印刷装置待機中での不要電力の消費を防止すると共に、復帰時にはファーストプリントタイムの遅延を防止することを目的とした技術が、開示されている（例えば、特許文献１参照）。
この特許文献１では、孔版印刷装置の各部・装置へ電力を供給する電源を切るという技術思想に基づくものではなく、むしろ省電力モード（省エネモード）としての技術提案である。また、上記公報では、周辺装置であるパーソナルコンピュータやソータが接続され遠隔操作で使用する場合、孔版印刷装置の不使用時に電源を切ることは現実的ではないと考えていた。
【０００３】
【特許文献１】特開２０００−１１８１１２号公報
【発明の開示】
【発明が解決しようとする課題】
【０００４】
しかしながら、特開２０００−１１８１１２号公報記載の技術では、省電力モードであったため消費電力は少なくなるが、孔版印刷装置の非稼働中（不使用時）における不要電力の浪費を完全に防止するという点からみると、完全ではなかった。やはり無駄な消費電力をなくすことを考えた場合、主電源スイッチを切ることが一番であると考えられる。
【０００５】
また、パーソナルコンピュータやソータが接続され遠隔操作で孔版印刷装置を使用する場合、孔版印刷装置の主電源を切ることは通信不可能となってしまうため、現実的ではないとされている。ところが、孔版印刷装置のユーザ全てが遠隔操作を行っているとは限らず、孔版印刷装置単体での印刷を行っている場合もある。それ故に、特にパーソナルコンピュータ等の周辺装置を接続せず遠隔操作を必要としないユーザにおいては、主電源を切ることが可能である。
【０００６】
したがって、本発明は、上述した事情に鑑みてなされたものであって、上記諸問題点を解決して、孔版印刷装置等を含む印刷装置の不使用時（非稼働中）における不要電力の浪費を完全に防止することができる印刷装置を提供することを主な目的としている。
【課題を解決するための手段】
【０００７】
本発明は、上述した課題を解決して上記目的を達成するために、請求項ごとの発明においては以下の発明特定事項（以下、「構成」という）を採用していることを特徴とするものである。
請求項１記載の発明は、版胴にマスタを巻装して印刷を行う印刷装置において、前記印刷装置の不使用時に制御によって主電源スイッチを切るオートシャットオフモードを実行することが可能であり、該オートシャットオフモードへ移行する際に、前記印刷装置の状態を記憶することを特徴とする。
請求項１記載の発明は、換言すれば、「版胴にマスタを巻装して印刷を行う印刷装置において、前記印刷装置の不使用時に制御によって主電源スイッチを切る動作に係るオートシャットオフモードを実行する制御手段と、該オートシャットオフモードへ移行する際に、前記印刷装置の状態を記憶する状態記憶手段とを有することを特徴とする。」とも表現できる。
請求項２記載の発明は、請求項１記載の印刷装置において、前記オートシャットオフモードヘの移行時間および／または該オートシャットオフモードヘ移行するか否かに関して、任意に設定可能であることを特徴とする。
オートシャットオフモードヘの移行時間の設定手段としては、後述する実施形態のように操作パネルに配設されたオートシャットオフモード移行時間設定キー（オートシャットオフモード移行時間設定手段）、テンキーおよびエンターキーとの組み合わせに限らず、例えば２つ以上のキーの組み合わせによるいわゆるサービスマンプログラムによるもの等であってもよい。
また、オートシャットオフモードヘ移行するか否かに関しては、後述する実施形態のように初期設定（デフォルト）としてオートシャットオフモード状態に予め設定されている下で操作パネルに配設されオートシャットオフモードを解除するオートシャットオフモード解除キー（オートシャットオフモード解除手段）およびこれを点灯表示するＬＥＤ（発光ダイオード）に限らず、例えばオートシャットオフモードを設定するためのオートシャットオフモード設定キー（オートシャットオフモード設定手段）およびこれをＬＥＤ（発光ダイオード）やＬＣＤ（液晶表示装置）等の表示手段で報せたり、音声等で報せたりする音声報知手段等（これらの総称である報知手段）を配設してもよい。
請求項３記載の発明は、請求項１または２記載の印刷装置において、前記印刷装置が、作動中状態、サービスマンコール状態、ジャム報知状態、版胴にマスタが巻装されていない状態のうちの何れか１つの状態の場合、前記オートシャットオフモードへの移行を禁止することを特徴とする。
ここで、ジャム報知状態には、ジャムの発生等を文字や絵等でその内容や発生箇所等を表示するジャム表示状態の他、ジャムの発生等を音声等で報せる音声報知状態なども含まれる。
請求項４記載の発明は、請求項１，２または３記載の印刷装置において、コンピュータ等の周辺装置が接続可能であり、該コンピュータからの画像情報を入力可能とする入出力仲介装置を介して該コンピュータが接続されている場合、前記オートシャットオフモードヘの移行を禁止することを特徴とする。
ここで、コンピュータとしては、後述の実施形態におけるパーソナルコンピュータや、ネットワークを介して通信可能に接続されたワークステーション等も含まれる。
請求項５記載の発明は、画像読取部、製版部、排版部、印刷部、給紙部および排紙部のうちの少なくとも該印刷部、該給紙部および該排紙部を有し、該印刷部に設けられた版胴にマスタを巻装して印刷を行う印刷装置において、前記印刷装置の不使用時に制御によって主電源スイッチを切るオートシャットオフモードを実行することが可能であり、前記オートシャットオフモードへ移行する際に、前記各部のうちの少なくとも１つの状態を記憶する装置状態記憶手段と、前記オートシャットオフモードが電源再投入により解除されたときに、前記装置状態記憶手段に記憶された前記各部の状態と前記解除時の前記各部の状態とを比較する比較手段とを有し、前記オートシャットオフモード時の前記各部の状態と前記解除時の前記各部の状態とが同じ場合、初期化動作はしないことを特徴とする。
【発明の効果】
【０００８】
本発明によれば、上述した従来の問題点を解決して新規な印刷装置を提供することができる。請求項ごとの効果を挙げれば以下のとおりである。
本発明によれば、印刷装置の不使用時に制御によって主電源スイッチを切るオートシャットオフモードを実行することが可能であり、該オートシャットオフモードへ移行する際に、印刷装置の状態を記憶する構成としたので、従来の省電力モード（省エネモード）でも若干消費していた電力が、オートシャットオフモードヘ移行することにより完全になくすことができる（請求項１）。
【０００９】
本発明によれば、オートシャットオフモードヘの移行時間および／またはオートシャットオフモードヘ移行するか否かに関して、任意に設定可能としたので、よりユーザのニーズや使用目的に合わせることができる（請求項２）。
【００１０】
本発明によれば、印刷装置が、作動中状態、サービスマンコール状態、ジャム報知状態、版胴にマスタが巻装されていない状態のうちの何れか１つの状態の場合、オートシャットオフモードへの移行を禁止する構成にしたので、ジャムやサービスマンコール発生時はジャム処理や、故障箇所修理・修復の迅速対応が可能となるし、作動中状態や版胴にマスタ未巻装状態時では、二次的に起こり得るトラブル(復帰処理のための時間浪費やインキの水分等蒸発よる印刷不良)を未然に防止することが可能となる（請求項３）。
【００１１】
本発明によれば、周辺装置であるコンピュータからの画像情報を入力可能とする入出力仲介装置を介して該コンピュータが接続されている場合、オートシャットオフモードヘの移行を禁止する構成にしたので、遠隔操作時における使い勝手の向上が図れる（請求項４）。
【００１２】
本発明によれば、オートシャットオフモード時の印刷装置の各部の状態と該モード解除時の前記各部の状態とが同じ場合、初期化動作はしない構成としたので、オートシャットオフモードからの復帰時の初期化動作における動作時間の短縮および消費電力を低減することが可能となる（請求項５）。
【発明を実施するための最良の形態】
【００１３】
以下、図を参照して実施例を含む本発明の実施の形態（以下、「実施形態」という）を説明する。各実施形態等に亘り、同一の機能および形状等を有する構成要素（部材や構成部品）等については、一度説明した後では同一符号を付すことによりその説明を省略する。図において一対で構成されていて特別に区別して説明する必要がない構成要素は、説明の簡明化を図る上から、その片方を適宜記載することでその説明に代えるものとする。図および説明の簡明化を図るため、図に表されるべき構成要素であっても、その図において特別に説明する必要がない構成要素は適宜断わりなく省略することがある。公開特許公報等の構成要素を引用して説明する場合は、その符号に括弧を付して示し、各実施形態等のそれと区別するものとする。
【００１４】
図１を参照して、本発明の第１の実施形態を示す印刷装置の一例としての孔版印刷装置１の全体構成を説明する。孔版印刷装置１は、同図に示すように、画像読取部２、給紙部３、製版部４、印刷部５、排紙部６、排版部７および制御部８から主に構成されている。同図において、符号９は、孔版印刷装置１の骨組みをなす装置本体としての筐体を示す。
【００１５】
画像読取部２は、筐体９の上部に配置されていて、原稿載置台１１上から移送される図示しない原稿またはコンタクトガラス１０上に載置された図示しない原稿の画像を読み取る機能・構成を具備している。
画像読取部２は、原稿を載置するコンタクトガラス１０、原稿を載置する原稿載置台１１、原稿を搬送する原稿搬送ローラ対１２および原稿搬送ローラ１３、搬送される原稿をガイドするガイド板１４，１５、コンタクトガラス１０に沿って原稿を搬送する原稿搬送ベルト１６、読み取られた原稿の排出方向を切り換える切換板１７、読み取られた原稿が排出される原稿排紙台１８、原稿画像を走査して読み取るスキャナ部（コンタクトガラス１０を通して前記原稿の表面を照明する蛍光灯２１、該原稿の表面からの反射光を折り返し反射するミラー１９，２０、ミラー１９，２０により反射された反射光を集束するレンズ２２、レンズ２２を介して反射光を受光するＣＣＤ等の画像センサ２３）等から主に構成されている。
画像センサ２３は受光した反射光に対応して光電変換をし、これにより得られた画像信号を筐体９内に設けられた図示しないアナログ／デジタル（以下、「Ａ／Ｄ」と略記する）変換部に入力する。
【００１６】
上述の構成のうち、原稿載置台１１、原稿搬送ローラ対１２、原稿搬送ローラ１３、ガイド板１４，１５、原稿搬送ベルト１６、切換板１７、原稿排紙台１８は図示しない圧板に一体的に設けられてＡＤＦユニット２４を構成しており、ＡＤＦユニット２４はコンタクトガラス１０に対して接離自在に設けられている。ＡＤＦユニット２４には、原稿載置台１１に原稿が載置されたことおよびこの原稿のサイズを検知するＡＤＦ原稿サイズ検知センサ２５、コンタクトガラス１０上に載置された原稿のサイズを検知する圧板原稿サイズ検知センサ２６、ＡＤＦユニット２４（図示しない圧板）がコンタクトガラス１０上に置かれていないときにこれを検知する圧板検知センサ２７が設けられている。各センサ２５，２６は、図の簡明化のため１個で示しているが、複数設けられている場合が多い。
【００１７】
給紙部３は、筐体９の下側に配置されていて、第１ないし第３の給紙トレイ２８，２９，３０上に積載された印刷用紙Ｐ１，Ｐ２，Ｐ３の何れかを印刷部５へ給送する機能・構成を具備している。
給紙部３は、例えば特開平５−１２４７３７号公報に開示されたものと同様に、同サイズの印刷用紙Ｐ１，Ｐ２を積載可能な第１給紙トレイ２８および第２給紙トレイ２９、大サイズの印刷用紙Ｐ３を積載可能な第３給紙トレイ３０、第１給紙トレイ２８上の印刷用紙Ｐ１が使い切られた際に第２給紙トレイ２９上の印刷用紙Ｐ２を第１給紙トレイ２８上に一括して移動させる用紙移動部材３１、給紙ローラ３２，３３、第１給紙トレイ２８上の印刷用紙Ｐ１を給紙ローラ３２に押圧させる押し上げ部材３４、第３給紙トレイ３０上の印刷用紙Ｐ３を給紙ローラ３３に押圧させる押し上げ部材３５、押し上げ部材３４に押し上げられた印刷用紙Ｐ１に接触して第１給紙トレイ２８上の印刷用紙Ｐ１の有無を検知する第１用紙有無検知センサ３６、分離ローラ対３７，３８、用紙搬送ローラ対３９，４０、用紙搬送ローラ群４１、レジストローラ対４２等から主に構成されており、孔版印刷装置１の作動中に第２給紙トレイ２９の引き出しが可能に構成されている。また、各給紙トレイ２８，２９，３０には各印刷用紙Ｐ１，Ｐ２，Ｐ３の幅方向をガイドする図示しないサイドフェンスが設けられている。
【００１８】
給紙部３には、さらに、第２給紙トレイ２９上の印刷用紙Ｐ２の有無を検知する第２用紙有無検知センサ４３、第１用紙有無検知センサ３６と同様に第３給紙トレイ３０上の印刷用紙Ｐ３の有無を検知する第３用紙有無検知センサ４４、各給紙トレイ２８，２９，３０上の各印刷用紙Ｐ１，Ｐ２，Ｐ３のサイズを検知する第１用紙サイズ検知センサ４５、第２用紙サイズ検知センサ４６、第３用紙サイズ検知センサ４７、押し上げ部材３４による第１給紙トレイ２８の上昇量から第１給紙トレイ２８上の印刷用紙Ｐ１の残量を検知する第１用紙残量検知センサ５７、押し上げ部材３５による第３給紙トレイ３０の上昇量から第３給紙トレイ３０上の印刷用紙Ｐ３の残量を検知する第３用紙残量検知センサ５８、各印刷用紙Ｐ１，Ｐ２，Ｐ３が所定の時間内にレジストローラ対４２に送られないことでジャムを検知する給紙ジャム検知センサ８６が配設されている。各センサ４５，４６，４７は、図の簡明化のため１個で示しているが、複数設けられている場合が多い。なお、図３においては、各センサ３６，４３，４４，４５，４６，４７，５７，５８の第１、第２ないしは第３等の接頭語を省略している。
【００１９】
製版部４は、給紙部３の上方に配置されていて、マスタ４８がロール状に巻かれたマスタロール４８ａから繰り出されるマスタ４８を穿孔製版し後述する版胴６０へ給版する機能・構成を具備している。
製版部４は、マスタ４８を繰り出し可能にマスタロール４８ａを支持する支持部材４９、マスタ４８を加熱穿孔・製版する製版手段としてのサーマルヘッド５０、マスタ４８をサーマルヘッド５０に押圧しつつ搬送するプラテンローラ５１、マスタ４８を切断する切断手段５２、マスタ４８を搬送するマスタ搬送ローラ対５３，５４等から主に構成されている。製版部４は、一体的なユニットに構成されており、筐体９に対して着脱自在に設けられている。
【００２０】
マスタロール４８ａは、その芯部４８ｂを支持部材４９に回転自在に支持されている。プラテンローラ５１は、図示しないステッピングモータで回転駆動され、図示しないプラテンローラ接離手段によって所定の圧力でサーマルヘッド５０に押圧される図１に実線で示す圧接位置と、サーマルヘッド５０から離間する図１に二点鎖線で示す離間位置とに選択的に位置決めされる。切断手段５２は、可動刃である上刃５２ａと固定刃である下刃５２ｂとからなり、上刃５２ａが下刃５２ｂに対して回転移動あるいは上下動する周知の構成である。
製版部４には、マスタロール４８ａの有無を検知するマスタロール有無検知センサ５９、プラテンローラ５１が圧接位置に置かれたときにこれを検知するプラテンローラ検知センサ５５、マスタ４８の先端が切断手段５２で切断される位置である初期位置に置かれたことを検知するマスタ先端検知センサ５６等が配設されている。
【００２１】
印刷部５は、製版部４の左側の筐体９の略中央部に配置されていて、穿孔製版された製版済みのマスタ４８を外周面に巻装した版胴６０に、印刷用紙Ｐ１ないしＰ３の何れかを押し付けることにより印刷を行う機能・構成を具備している。
【００２２】
版胴６０は、多孔性の支持円筒体の周りに樹脂あるいは金属網体のメッシュスクリーン（図示せず）を複数層巻装して構成されていて、紙面の手前側および奥側の両端部に配設された図示しないフランジ（端板）に固着されている。版胴６０は、該両端部のフランジがインキ供給パイプを兼ねた支軸６３に回転自在に支持されており、図示しない版胴駆動手段（例えばメインモータ）からの駆動力を伝達されレジストローラ対４２と同期して回転駆動される。版胴６０は、筐体９に対して着脱自在に設けられており、その外周面上にはマスタ４８の先端を挟持するクランパ６４が配設されている。クランパ６４は、版胴６０が所定位置に到達した際に図示しないクランパ開閉手段によって開閉される。
【００２３】
版胴６０の内部には、インキ供給手段６１が配設されている。インキ供給手段６１は、支軸６３、インキローラ６５、ドクターローラ６６等から主に構成されている。インキローラ６５は、支軸６３に固設された図示しない側板に回転自在に支持されており、ギヤやベルト等の図示しない駆動力伝達手段から駆動力を伝達されて図の時計回り方向に回転駆動される。インキローラ６５の近傍には、インキローラ６５の外周面に対してその外周面を近接配置されたドクターローラ６６が、インキローラ６５と平行に配設されている。インキローラ６５とドクターローラ６６との間に断面楔状に形成されるインキ溜まり６７のインキは、インキローラ６５とドクターローラ６６との隙間を通過する際に引き延ばされ一定量に計量されて、インキローラ６５の外周面上に薄膜状に供給される。インキ溜まり６７には、インキ量を検知するインキ量検知センサ６８が設けられている。
なお、インキとしては、例えばＷ／Ｏ型のエマルションインキ系のものが好ましく使用されるが、勿論これに限られるものではない。
【００２４】
版胴６０の下方には、プレスローラ６２が配設されている。プレスローラ６２は、筐体９の図示しない側板に揺動自在かつ回転自在に支持されており、図示しないカム等を介して揺動・昇降され、その外周面を版胴６０の外周面に対して接離自在に設けられている。プレスローラ６２は、図示しないバネ等の付勢手段によって常に版胴６０に圧接する向きに付勢されており、離間時には図示しない係止手段によって図に示す離間位置に保持される周知の構成をなす。
【００２５】
また、印刷部５には、版胴６０を支軸６３の軸方向に移動させて給紙部３より給送された印刷用紙に印刷される画像位置を用紙幅方向に変位させる画像左右位置調節機構（特開平６−２９３１７５号公報参照）と、版胴６０をその周方向に移動させてレジストローラ対４２との同期タイミングをずらし、印刷用紙に印刷される画像位置を用紙搬送方向に変位させる天地移動機構とが配設されている。版胴６０の近傍には、版胴６０の軸方向の位置を検知する版胴軸方向位置検知センサ６９と、版胴６０の周方向の位置を検知するエンコーダ等の検出器を有する版胴周方向位置検知センサ７０とが配設されている。各センサ６９，７０は、共にホームポジションからの移動量を検知して版胴６０の位置検出を行う。さらに、版胴６０の近傍には、版胴６０の外周面上にマスタ４８が巻装されていない場合にこれを検知するマスタ未巻装検知センサ８７が配設されている。
マスタ未巻装検知センサ８７としては、例えば本願出願人が提案した特開２００２−１３７５２５号公報の図１ないし図３に示されている態様で配置された反射型フォトセンサからなるマスタ有無検知センサ（１）が好ましく使用されるが、勿論これに限定されるものではない。
【００２６】
排紙部６は、印刷部５の左側に配置されていて、印刷部５で印刷された印刷済みの印刷用紙を排紙トレイ８０に排出する機能・構成を具備している。排紙部６は、剥離爪７１、ガイド板７２，７３、排紙搬送ユニット７４、電動排紙台７５等から主に構成されている。
【００２７】
剥離爪７１は、版胴６０の外周面より印刷済みの印刷用紙Ｐ（印刷用紙Ｐ１，Ｐ２，Ｐ３を総称して印刷用紙Ｐとする）を剥離するものであり、筐体９の図示しない側板に回動自在に支持されており、その先端を版胴６０の外周面に対して近接離間自在に設けられている。ガイド板７２，７３は、筐体９の図示しない側板に固着されており、剥離爪７１によって剥離された印刷済みの印刷用紙Ｐの搬送をガイドする。排紙搬送ユニット７４は、駆動ローラ７６、従動ローラ７７、無端ベルト７８、吸引ファン７９から構成されており、吸引ファン７９の吸引力によって多孔性の無端ベルト７８上に印刷用紙Ｐを吸引保持し、駆動ローラ７６の回転によって印刷用紙Ｐを図の矢印方向に搬送する。電動排紙台７５は、排紙搬送ユニット７４によって搬送される印刷用紙Ｐを積載するものであり、印刷済みの印刷用紙Ｐを積載する排紙トレイ８０、一対のサイドフェンス８１，８２、エンドフェンス８３を有しており、給紙部３から送られる用紙サイズ信号に基づいて各サイドフェンス８１，８２およびエンドフェンス８３を所定の位置に移動して位置決めする。
【００２８】
排紙部６には、印刷用紙Ｐが所定の時間内に排紙搬送ユニット７４に送られないことでジャムを検知する排紙ジャム検知センサ８４と、各サイドフェンス８１，８２およびエンドフェンス８３の位置を検知するフェンス位置検知センサ８５とが配設されている。排紙ジャム検知センサ８４は、後述する操作パネル１０４のテンキー１０９で置数された所望とする印刷枚数（印刷部数）に対して、印刷された印刷枚数を計数する印刷枚数計数手段も兼ねている。
【００２９】
排版部７は、画像読取部２と排紙部６との間の版胴の左側に配置されていて、使用済みのマスタ９８を版胴６０の外周面から剥ぎ取り排版ボックス９０内へ搬送排出する機能・構成具備している。排版部７は、上排版部材８８、下排版部材８９、排版ボックス９０、圧縮板９１等から主に構成されている。
【００３０】
上排版部材８８は、駆動ローラ９２、従動ローラ９３、無端ベルト９４から構成され、駆動ローラ９２が図において時計回り方向に回転することにより無端ベルト９４が図の矢印方向に移動する。下排版部材８９も上排版部材８８と同様に駆動ローラ９５、従動ローラ９６、無端ベルト９７から構成されており、駆動ローラ９５が図において反時計回り方向に回転することにより無端ベルト９７が図の矢印方向に移動する。また、下排版部材８９は図示しない移動手段によって移動自在に設けられており、図１に示す位置と駆動ローラ９５の外周面が版胴６０の外周面上に巻装された使用済みのマスタ９８に当接する位置とに選択的に位置決めされる。圧縮板９１は、排版ボックス９０の内部に使用済みのマスタ９８を押し込み圧縮するものであり、図示しない昇降手段によって上下動自在に支持されている。排版ボックス９０は、筐体９に対して着脱自在に設けられている。
【００３１】
排版部７には、圧縮板９１のホームポジションを検知する圧縮板ホームポジション検知センサ９９、排版ボックス９０内に使用済みのマスタ９８が満杯となって圧縮板９１が所定のトルクで下降しないことを検知する満杯検知センサ１００、使用済みのマスタ９８のジャムを検知する排版ジャム検知センサ１０１が配設されている。
【００３２】
さらに、筐体９には、上述した各種センサの他に、マスタロール４８ａの交換および初期セット、版胴６０の着脱、排版ボックス９０の着脱の際等に開閉される図示しない本体ドアが開かれたことを検知する本体ドア検知センサ１０２、印刷用紙Ｐの補給の際に開閉される図示しない給紙ドアが開かれたことを検知する給紙ドア検知センサ１０３が配設されている。
【００３３】
図２は、孔版印刷装置１の上記各部・装置等に指示を与えて所望する動作を行わせるように操作するための操作パネル１０４を示している。操作パネル１０４は、筐体９の上部前面に配置されていて、その上面に製版スタートキー１０５、印刷スタートキー１０６、試し刷りキー１０７、ストップキー１０８、テンキー１０９、エンターキー１１０、クリアキー１１１、プログラムキー１１２、モード設定キー１１３、モードクリアキー１１４、拡大縮小キー１１５、印刷速度設定キー１１６、画像左右位置調節キー１１７、画像天地位置調節キー１１８、７セグメントＬＥＤからなる表示部１１９、ＬＣＤからなる表示部１２０、ＬＥＤからなるジャム表示部１２１等の周知の構成の他、ＬＥＤからなるランプを内蔵したオートシャットオフモード解除キー１２４と、ＬＥＤからなるランプを内蔵したオートシャットオフモード移行時間設定キー１２５とを有している。
【００３４】
表示部１２０は、孔版印刷装置１の上記各部・装置等に配設された各種センサ等からの情報（出力信号）に基づく孔版印刷装置１の状態が表示される他、操作内容を順次文字等で表示したり、孔版印刷装置１における故障に係るサービスマンコール等の表示をしたりする機能を有する。ジャム表示部１２１は、マスタ４８のジャム箇所、印刷用紙Ｐのジャム箇所あるいは排版ジャム箇所等を表示する機能を有する。
操作パネル１０４からの出力信号は制御部８に向けて出力され、制御部８からは各表示部１１９，１２０，１２１と上記各ランプへの各種表示に係る指令信号が送られる。
【００３５】
ここで、「オートシャットオフモード」とは、孔版印刷装置１の不使用時（非稼動時）に制御によって図４に示す主電源スイッチ１２６に含まれるオートシャットオフスイッチ１２７を自動的に切る動作方式・動作方法を意味する。
孔版印刷装置１は、初期設定（デフォルト）として、例えばオートシャットオフモード状態に予め設定されており、後述する所定の条件を満足した場合およびオートシャットオフモード解除キー１２４を押下した場合のみ、オートシャットオフモード状態を解除することができるようになっている。
【００３６】
オートシャットオフモード移行時間設定キー１２５を押下すると、内蔵されたランプが点灯してオートシャットオフモードへの移行時間を例えば分単位で、ユーザが任意に設定可能であることをユーザに知らせるようになっている。例えば、オートシャットオフモード移行時間として初期値として５分に予め設定されている場合において、オートシャットオフモード移行時間設定キー１２５を押した後に、テンキー１０９で「１」または「１０」を置数しエンターキー１１０を押してその移行時間を確定すると、オートシャットオフモードへの移行時間として初期値の５分から「１分」または「１０分」に変更されて設定・入力されるというようにである。
【００３７】
制御部８は、図１に示した筐体９の内部下方に配置されている。図４に示すように、制御部８は、制御装置１５０を含むＰＣＢ（Ｐｒｉｎｔｅｄ  Ｃｉｒｃｕｉｔ  Ｂｏａｒｄ：回路基板）１３０等から主に構成されている。
制御装置１５０は、図３に示すように、ＣＰＵ（中央演算処理装置）１５１、バックアップされたＲＡＭ（読み書き可能な記憶装置）１５２、ＰＲＯＭ（プログラム可能な読み出し専用記憶装置）１５３やＲＯＭ（図示せず）、バックアップされたタイマ１５７、Ｉ／Ｏ（入出力ポート）１５４等を有するマイクロコンピュータを具備して構成されている。
なお、記憶すべき動作プログラムや関係データを例えば上述したように書き換える必要がない場合、通常のＲＯＭでも構わない。図３において、二点鎖線で示す制御構成は、説明の便宜上本実施形態で使用されないものを表している。
制御装置１５０は、制御部８の内部に設けられたＰＣＢ１３０の内部に配置されており、図４に示すように、ＰＳＵ（Ｐｏｗｅｒ  Ｓｕｐｐｌｙ  Ｕｎｉｔ：電源装置）１２９からの電力を供給され、孔版印刷装置１の動作を制御する。
【００３８】
図４において、符号１２８ａは電源ケーブルを、符号１２８ｂは、例えば商用の外部電源のコンセントと接続するための、電源ケーブル１２８ａの先端部に設けられたプラグを示す。符号１２６は、ユーザが手動でＰＳＵ１２９へ供給する電力をオン／オフする機械式の通常の主電源スイッチを、符号１２７は、制御装置１５０のＣＰＵ１５１からのオートシャットオフ指令信号に基づいてのみ自動的にオフされるオートシャットオフスイッチを、それぞれ示す。主電源スイッチ１２６は、例えばユーザが手動で操作することができる機械式の通常のスイッチからなる。
【００３９】
主電源スイッチ１２６は、孔版印刷装置１の排版部６寄りの筐体９の外壁面に配置されている。主電源スイッチ１２６は、例えば、１回押下すると電源投入（以下、「電力投入、電源オンまたは電力オン」という）状態を保持し、さらに押下すると電源オフまたは電力オフ（電源非投入）状態を保持する保持型接点を有する周知のスイッチである。オートシャットオフスイッチ１２７は、例えば電磁リレーや半導体スイッチ（例えばＦＥＴ（電界効果トランジスタ）等のスイッチ回路を有して構成される）からなる。オートシャットオフスイッチ１２７は、主電源スイッチ１２６に含まれ、これと共用される関係にある。すなわち、主電源スイッチ１２６は、ユーザが手動で操作することによりＰＳＵ１２９へ供給する電力をオン／オフすることができるが、オートシャットオフスイッチ１２７は、制御装置１５０のＣＰＵ１５１からのオートシャットオフ指令信号に基づいてのみ自動的にオフされるスイッチである。
【００４０】
ＰＳＵ１２９は、それぞれ図示しない、フィルタ回路と、整流回路および平滑回路を備えた安定化電源部と、この安定化電源部により供給される直流の電源電圧を＋２４Ｖ、±１２Ｖ、＋５Ｖにそれぞれ変換・変圧するコンバータとを具備している。
ＰＣＢ１３０には、複数の接続端子が設けられており、ＰＳＵ１２９からの電圧・電力が主として＋２４Ｖ、±１２Ｖ、＋５Ｖの３系統に分岐されて供給される。これらのうち、＋２４Ｖは孔版印刷装置１の上記各部・装置のアクチュエータであるモータ、ソレノイドおよびファン等に、±１２Ｖは画像読取部２の画像センサ２３を構成するＣＣＤ等に、＋５Ｖは制御装置１５０、操作パネル１０４の各表示部１１９，１２０，１２１および孔版印刷装置１の上記各部・装置の各センサに、それぞれ供給される。
【００４１】
図３に示すように、ＣＰＵ１５１には、各センサおよび操作パネル１０４からの出力信号が入力される。ＣＰＵ１５１に入力された各信号は、同ＣＰＵ１５１によってＰＲＯＭ１５３に記憶された動作プログラムに基づいて演算処理され、画像読取部２、給紙部３、製版部４、印刷部５、排紙部６、排版部７を制御する各駆動回路や、オートシャットオフスイッチ１２７にそれぞれ動作・指令信号として出力されると共に、操作パネル１０４の各表示部１１９，１２０，１２１のＬＥＤ駆動回路やＬＣＤ駆動回路に表示・指令信号として出力される。
【００４２】
ＲＡＭ１５２には、ＣＰＵ１５１によってＰＲＯＭ１５３から呼び出された動作プログラムが一時的に書き込まれ、この動作プログラムは操作パネル１０４からの入力によって書き換えられる。また、バックアップされたＲＡＭ１５２（以下、単に「ＲＡＭ１５２」という）には、後述する所定の条件を満足した場合にのみ、オートシャットオフモードプログラムが書き込まれる。ＲＡＭ１５２はバックアップバッテリでバックアップされた不揮発性メモリの一種であり、これによりＲＡＭ１５２に書き込まれたオートシャットオフモードプログラムや各種データ等は、孔版印刷装置１の主電源スイッチ１２７が切られても消去されないように構成されている。
【００４３】
ＰＲＯＭ１５３には、孔版印刷装置１の各アクチュエータを作動させる複数の動作プログラムが記憶されている。ＲＡＭ１５２は、オートシャットオフモードに移行する際に、画像読取部２、給紙部３、製版部４、印刷部５、排紙部６、排版部７の各部・装置および操作パネル１０４の各表示部１１９，１２０，１２１のうちの少なくとも１つの状態（各アクチュエータの移動量に伴う各部位の位置を含む）を記憶する装置状態記憶手段としての機能を有する。バックアップされたタイマ１５７は、孔版印刷装置１の不使用時（印刷動作が終了した後）におけるオートシャットオフモードへ移行する所定時間を計時する計時手段としての機能を有する。
Ｉ／Ｏ（入出力ポート）１５４には、二点鎖線で示すように、コンピュータからの画像情報を入力可能とする入出力仲介装置としてのＩ／Ｆ（インターフェース）コントローラ１５５が送受信可能に接続されている構成例もある。Ｉ／Ｆコントローラ１５５には、コンピュータの一例としてのパーソナルコンピュータ１５６（以下、「パソコン１５６」という）が送受信可能に接続される。これにより、パソコン１５６側で作成された画像情報としての画像データ信号がＩ／Ｆコントローラ１５５およびＩ／Ｏ（入出力ポート）１５４を介してＣＰＵ１５１に入力され、さらにサーマルヘッド５０を駆動制御するサーマルヘッド駆動回路等を具備する製版制御部（図示せず）に送信されて製版のためのデータとして用いられる。
【００４４】
ＣＰＵ１５１（以下、説明の簡明化のために「制御装置１５０」というときがある）は、第１に、孔版印刷装置１の不使用時において、オートシャットオフモードへ移行するための所定の条件を満足したときに、制御によって主電源スイッチ１２６のオートシャットオフスイッチ１２７を切るオートシャットオフモードを実行させる基本的な機能を有すると共に、オートシャットオフモードへ移行する（入る）際に、孔版印刷装置１の上記各部・装置の状態をＲＡＭ１５２に記憶させる機能を有する。
制御装置１５０（ＣＰＵ１５１）は、第２に、孔版印刷装置１の上記各部・装置が、作動中状態、サービスマンコール状態、ジャム報知状態、版胴６０にマスタ４８が巻装されていない状態のうちの何れか１つの状態の場合、オートシャットオフスイッチ１２７をしてオートシャットオフモードへの移行を禁止させる機能を有する。
制御装置１５０（ＣＰＵ１５１）は、第３に、図３に二点鎖線で示すＩ／Ｆコントローラ１５５を介してパソコン１５６が接続されていると認識した場合、オートシャットオフスイッチ１２７をしてオートシャットオフモードヘの移行を禁止させる機能を有する。
制御装置１５０（ＣＰＵ１５１）は、第４に、オートシャットオフモードがユーザによる主電源スイッチ１２６の再投入により解除されたときに、ＲＡＭ１５２に記憶された孔版印刷装置１の上記各部・装置の状態とオートシャットオフモード解除時の孔版印刷装置１の上記各部・装置の状態とを比較する比較手段としての機能を有し、オートシャットオフモード時の孔版印刷装置１の上記各部・装置の状態とオートシャットオフモード解除時の孔版印刷装置１の上記各部・装置の状態とが同じ場合、孔版印刷装置１の上記各部・装置をして初期化動作（イニシャライズ動作）をさせない機能を有する。
【００４５】
上述の構成に基づき、孔版印刷装置１の動作を説明する。まず、オートシャットオフモード時の動作ではない通常動作モード時の孔版印刷装置１の動作を説明する。
孔版印刷装置１の主電源スイッチ１２６が押されてオンされると、制御装置１５０から動作・指令信号が送られて版胴６０が軸方向に移動され、版胴軸方向位置検知センサ６９から制御装置１５０に信号が出力されて版胴６０が軸方向のホームポジションに到達する。次いで、版胴６０は周方向に移動、すなわち回転され、版胴周方向位置検知センサ７０から制御装置１５０に信号が出力されて版胴６０が周方向のホームポジションに位置決めされ、版胴６０は所定の給版位置を占める。版胴６０の内部では、インキ量検知センサ６８にインキが検知されるまでインキ溜まり６７へのインキ供給が行われる。
【００４６】
版胴６０と共に排版部７の圧縮板９１にも動作・指令信号が送られ、圧縮板９１は満杯検知センサ１００を通り過ぎる位置まで下降された後、圧縮板ホームポジションセンサ９９で検知されるホームポジションに位置決めされる。このとき、圧縮板９１が満杯検知センサ１００を通り過ぎる位置まで下降できないときには、操作パネル１０４上に排版ボックス９０が満杯である旨の表示がなされる。
【００４７】
また、給紙部３にも動作・指令信号が送られ、各押し上げ部材３４，３５が各印刷用紙Ｐ１，Ｐ３を各給紙ローラ３２，３３に圧接させる位置まで回動し、各印刷用紙Ｐの有無および各印刷用紙Ｐの残量が検知される。このとき、印刷用紙Ｐ３が無い場合には、押し上げ部材３５が図１に示す初期位置に戻されると共に操作パネル１０４上にその旨の表示がなされ、印刷用紙Ｐ１および印刷用紙Ｐ２が無い場合には、押し上げ部材３４が初期位置に戻されると共に操作パネル１０４上にその旨の表示がなされ、印刷用紙Ｐ１が無く印刷用紙Ｐ２が有る場合には、押し上げ部材３４が初期位置に戻された後に用紙移動部材３１が印刷用紙Ｐ２を第１給紙トレイ２８上に移動させると共に、操作パネル１０４上に印刷用紙Ｐ２が無いという表示がなされる。
【００４８】
給紙部３の作動に伴い、排紙部６では電動排紙台７５の各サイドフェンス８１，８２が一度ホームポジションに位置決めされた後、各用紙サイズ検知センサ４５，４６，４７で検知された各印刷用紙Ｐのサイズに合わせて移動され、フェンス位置検知センサ８５からの信号に基づいて位置決めされると共に、吸引ファン７９が作動される。
【００４９】
製版部４では、マスタロール有無検知センサ５９によるマスタロール４８ａの検知およびプラテンローラ検知センサ５５によるプラテンローラ５１とサーマルヘッド５０との圧接状態の検知が行われ、マスタロール４８ａがセットされていない場合には、操作パネル１０４上にマスタロールがセットされていない旨の表示がなされ、プラテンローラ５１がサーマルヘッド５０に圧接していない場合には、操作パネル１０４上にその旨が表示される。また、マスタロール有無検知センサ５９およびプラテンローラ検知センサ５５が共にオンしていてマスタ先端検知センサ５６がオンしていない場合には、プラテンローラ５１を作動させてマスタ先端検知センサ５６がオンするまでマスタ４８を搬送する。
【００５０】
さらに、圧板検知センサ２７、排紙ジャム検知センサ８４、給紙ジャム検知センサ８６、排版ジャム検知センサ１０１、本体ドア検知センサ１０２、給紙ドア検知センサ１０３の何れか１つでもオンしている場合には、操作パネル１０４上にその旨が表示される。
【００５１】
上述のように、孔版印刷装置１は、版胴６０が軸方向および周方向共にホームポジションに位置決めされ、インキ量検知センサ６８がインキ溜まり６７のインキを検知し、圧縮板９１がホームポジションに位置決めされると共に排版ボックス９０内の使用済みマスタが廃棄され、給紙部３に使用すべき印刷用紙が補給され、支持部材４９にマスタロール４８ａがセットされ、プラテンローラ５１がサーマルヘッド５０に圧接されると共にマスタ４８の先端がマスタ先端検知センサ５６で検知され、各センサ２７，８４，８６，１０１，１０２，１０３が全てオフであるときに製版待機状態となる。
【００５２】
孔版印刷装置１が製版待機状態となり、原稿載置台１１上に１枚もしくは複数枚の原稿がセットされ、ユーザによって操作パネル１０４上の各種キーによって製版条件が設定された後に製版スタートキー１０５が押されると、画像読取部２において原稿画像が読み取られ、読み取られた画像は画像データ信号として制御装置１５０に送られる。
【００５３】
画像読取部２での画像読取動作と並行して、排版部７では版胴６０の外周面上から使用済みのマスタ９８を剥離する排版動作が行われる。
外周面上に使用済みのマスタ９８を巻装している版胴６０は、図示しない版胴駆動手段によって図の反時計回り方向に回転を開始する。そして版胴６０が、その外周面上に巻装した使用済みのマスタ９８の後端が駆動ローラ９５と対応する所定の排版位置に到達したことを制御装置１５０が判断すると、制御装置１５０からの指令により図示しない移動手段と駆動手段とが作動し、各駆動ローラ９２，９５が回転すると共に下排版部材８９を版胴６０側に移動させる。駆動ローラ９５の外周面が版胴６０上の使用済みのマスタ９８と当接したとき、版胴６０は反時計回り方向への回転を継続しており、駆動ローラ９５と当接してすくい上げられた使用済みのマスタ９８は下排版部材８９と上排版部材８８とで挟持され、版胴６０の外周面より剥離される。剥離された使用済みのマスタ９８は、下排版部材８９と上排版部材８８とで搬送されて排版ボックス９０内に廃棄された後、圧縮板９１によって圧縮される。
【００５４】
版胴６０の外周面より使用済みのマスタ９８が全て剥離されると、版胴６０はさらに回転を継続して所定の給版位置であるホームポジションに位置決めされる。その後、制御装置１５０より図示しない開閉手段に動作・指令信号が送られてクランパ６４が開放され、版胴６０が給版待機状態となって排版動作が完了する。
【００５５】
排版動作完了後、製版動作が行われる。版胴６０が給版待機状態となると、制御装置１５０からの動作・指令信号によって製版部４の図示しないステッピングモータが作動し、プラテンローラ５１および各マスタ搬送ローラ対５３，５４が回転駆動され、マスタロール４８ａからマスタ４８が引き出される。引き出されたマスタ４８はサーマルヘッド５０によって加熱穿孔製版される。
【００５６】
製版されたマスタ４８はクランパ６４へと搬送される。そして、図示しないステッピングモータのステップ数より、マスタ４８の先端がクランパ６４に挟持される所定位置まで到達したことを制御装置１５０が判断すると、図示しない開閉手段に動作・指令信号が送られてクランパ６４が閉じられ、マスタ４８の先端が版胴６０上に挟持される。
【００５７】
その後、版胴６０がマスタ４８の搬送速度と同じ周速度で時計回り方向に回転駆動され、マスタ４８の版胴６０への巻装動作が行われる。そして、図示しないステッピングモータのステップ数より、１版分の製版が完了したと制御装置１５０が判断すると、プラテンローラ５１と各マスタ搬送ローラ対５３，５４の回転が停止すると共に、上刃５２ａが移動してマスタ４８が切断される。切断されたマスタ４８は版胴６０の回転動作によって引き出され、版胴６０が再びホームポジションに到達すると、版胴６０が停止して巻装動作が完了する。
【００５８】
巻装動作に引き続き、版付け動作が行われる。版胴６０がホームポジションで停止すると、制御装置１５０より動作・指令信号が送られて版胴６０が低速で回転駆動されると共に、給紙ローラ３２（または給紙ローラ３３）、分離ローラ対３７（または分離ローラ対３８）、各用紙搬送ローラ３９，４０，４１がそれぞれ回転駆動される。給紙ローラ３２（３３）および分離ローラ対３７（３８）の回転により、第１給紙トレイ２８（または第３給紙トレイ３０）上に積載された印刷用紙Ｐの最上位の１枚が引き出され、レジストローラ対４２のニップ部に一時的に当接される。
【００５９】
版胴６０に巻装されたマスタ４８の画像領域先端部がプレスローラ６２と対応する位置に到達したことを制御装置１５０が判断すると、制御装置１５０から動作・指令信号が送られてレジストローラ対４２が回転し、印刷用紙Ｐを版胴６０とプレスローラ６２との間に向けて給送する。制御装置１５０は、レジストローラ対４２への動作・指令信号に続いてプレスローラ６２を保持する図示しない係止手段に動作・指令信号を送り、プレスローラ６２を揺動させる。
【００６０】
レジストローラ対４２により給送された印刷用紙Ｐは、プレスローラ６２によって版胴６０に巻装されたマスタ４８に押圧される。この押圧動作により、プレスローラ６２と印刷用紙Ｐとマスタ４８と版胴６０の外周面とが圧接し、インキローラ６５によって版胴６０の内周面に供給されたインキは、版胴６０の外周面の開孔部およびメッシュスクリーンより滲出した後、版胴６０の外周面とマスタ４８との空隙部に充填され、マスタ４８の穿孔部を介して印刷用紙Ｐに転移される。
【００６１】
インキを転移された印刷用紙Ｐは、剥離爪７１の先端で版胴６０の外周面より剥離されて各ガイド板７２，７３間に案内され、吸引ファン７９の吸引力によって無端ベルト７８の上面に引き付けられつつ図１において左方へと搬送されて排紙トレイ８０上に排出される。この一連の工程によって版付け動作（単に版付けまたは版付け印刷とも呼ばれる）が完了し、孔版印刷装置１は印刷待機状態となる。
【００６２】
上述の原稿読取、排版、製版、版付けの各動作が完了して印刷待機状態となった孔版印刷装置１において、ユーザによって試し刷りキー１０７が押されると、版付け動作時と同様に給紙部３から１枚の印刷用紙Ｐが給送され、レジストローラ対４２のニップ部に一時的に当接されると共に版胴６０が版付け動作時よりも少なくとも高速で回転駆動される。レジストローラ対４２は、版付け動作と同じタイミングで高速回転している版胴６０とプレスローラ６２との間に印刷用紙Ｐを給送する。給送された印刷用紙Ｐは、プレスローラ６２によって版胴６０に巻装されたマスタ４８に押圧されてインキを転移され、その上面に印刷画像を形成された後、剥離爪７１によって版胴６０の外周面より剥離され、排紙搬送ユニット７４によって図１において左方へと搬送されて排紙トレイ８０上に排出される。版胴６０は再びホームポジションに戻り、試し刷り動作が完了する。
【００６３】
この試し刷りによって印刷速度や印刷画像の位置を確認し、これらを操作パネル１０４上の印刷速度設定キー１１６、画像左右位置調節キー１１７、画像天地位置調節キー１１８等で調整して再度試し刷りを行った後、テンキー１０９で印刷枚数を表示部１１９に置数した後に印刷スタートキー１０６を押すことにより、給紙部３より印刷用紙Ｐが連続的に送られて印刷動作が行われる。印刷動作完了後にも、版胴６０は再びホームポジションに戻るが、このホームポジションは左右位置移動量および天地位置移動量を含んだ位置である。
【００６４】
次に、図５ないし図７を参照して、本発明のオートシャットオフモードに係る孔版印刷装置１の要部動作を説明する。まず、図５および図６を参照して、オートシャットオフモードへの移行時の動作を説明する。なお、図５ないし図７のフローチャートにおいて、ＲＡＭ１５２のことを単に「メモリ」と記載している。
先ず、ステップＳ１において、オートシャットオフモードのオン／オフ状態が判断される。上述したように本実施形態では初期設定としてオートシャットオフモードへの移行時間が孔版印刷装置１の不使用時後に５分として設定されているような場合には、ＣＰＵ１５１はオートシャットオフモードが実行可能なオン状態と認識・判断し、ＰＲＯＭ１５３よりオートシャットオフモードプログラムを呼び出し、以下の制御動作を行う。すなわち、さらにオートシャットオフモード移行可否に係る所定の条件を満足しているか否かを判断・チエックすべくステップＳ２へ進む。
一方、ユーザによって例えばオートシャットオフモード解除キー１２４が押されてその解除信号がＣＰＵ１５１に入力された場合には、オートシャットオフモード解除状態、すなわちオートシャットオフモードのオフ状態と認識・判断してリターンする。
【００６５】
ステップＳ２において、Ｉ／Ｆコントローラ１５５の接続有りか否かが判断される。本実施形態のオートシャットオフモードでは、オートシャットオフスイッチ１２７が自動的にオフされる（切れる）だけで自動的に主電源スイッチ１２６がオンする構成ではないために、パソコン１５６が接続され遠隔操作が考えられるケースでは、オートシャットオフモードへの移行を禁止とする。従って、本実施形態では上述したように図３に二点鎖線で示すＩ／Ｆコントローラ１５５が接続されていない構成としているので、ＣＰＵ１５１はＩ／Ｆコントローラ１５５の接続有りではないノーの場合であるため、Ｉ／Ｆコントローラ１５５の接続が無いと認識・判断し、さらにオートシャットオフモード移行可否に係る所定の条件を満足しているか否かを判断・チエックすべくステップＳ３へ進む。
【００６６】
一方、Ｉ／Ｆコントローラ１５５の接続があるイエスの場合には、ステップＳ１０へ進んで、公知の省電力モード（省エネモード）に係る動作を行う。この省電力モードに係る構成例および動作例としては、例えば本願出願人が提案した特開２０００−１１８１１２号公報の図１ないし図４に示された構成、およびその段落「００６０」ないし「００６９」に記載されている動作を挙げることができる。この省電力モードを行うことにより得られる利点を望まない場合には、これに代えてリターンしてもよい。
【００６７】
ステップＳ３において、孔版印刷装置１が作動中状態か否かが判断される。すなわち、孔版印刷装置１が作動中状態にある場合では、オートシャットオフモードヘ移行を可能にしてしまうと中途半端な動作状態で停止して復帰処理に時間がかかってしまう虞があるため、それを禁止する必要がある。そこで、ＣＰＵ１５１は孔版印刷装置１の上記各部・装置の全アクチュエータが作動中状態ではない停止中と判断した場合には、さらにオートシャットオフモード移行可否に係る所定の条件を満足しているか否かを判断・チエックすべくステップＳ４へ進む。一方、作動中状態であると判断した場合には、オートシャットオフモードヘの移行を禁止すべくリターンする。
【００６８】
ステップＳ４において、サービスマンコール有りか否か、すなわち表示部１２０にサービスマンコール表示状態有りか否かが判断される。表示部１２０がサービスマンコール表示状態の場合には、オートシャットオフモードヘの移行を禁止しないと緊急性および迅速性を要する故障等による修理を行えなくなる。そこで、ＣＰＵ１５１は表示部１２０がサービスマンコール非表示状態（サービスマンコール無し）と判断した場合には、さらにオートシャットオフモード移行可否に係る所定の条件を満足しているか否かを判断・チエックすべくステップＳ５へ進む。一方、表示部１２０がサービスマンコール表示状態（サービスマンコール有り）と判断した場合には、オートシャットオフモードヘの移行を禁止すべくリターンする。
【００６９】
ステップＳ５において、ジャム有りか否か、すなわちジャム表示部１２１にジャム表示有りか否かが判断される。ジャム表示部１２１がジャム表示状態の場合には、オートシャットオフモードヘの移行を禁止しないと迅速性を要するジャム処理を行えなくなる。そこで、ＣＰＵ１５１はジャム表示部１２１がジャム非表示状態（ジャム無し）と判断した場合には、さらにオートシャットオフモード移行可否に係る所定の条件を満足しているか否かを判断・チエックすべく図６に示すステップＳ６へ進む。一方、ジャム表示部１２１がジャム表示状態（ジャム有り）と判断した場合には、オートシャットオフモードヘの移行を禁止すべくリターンする。
【００７０】
次いで、図６のステップＳ６において、版胴６０にマスタ４８が巻装してあるか否かが判断される。版胴６０の外周面にマスタ４８が巻装されていないままの状態でオートシャットオフモードへ移行してしまうと、版胴６０の外周表面からインキ中の水分が蒸発してしまって印刷不良を生じることになる。そこで、ＣＰＵ１５１は、マスタ未巻装検知センサ８７からの出力信号に基づき、版胴６０上にマスタ４８が巻装されていることを検知したイエスの場合には、さらにオートシャットオフモード移行可否に係る所定の条件を満足しているか否かを判断・チエックすべくステップＳ７へ進む。一方、版胴６０上にマスタ４８が巻装されていないことを検知した場合には、オートシャットオフモードへの移行を禁止すべくリターンする。
【００７１】
ステップＳ７において、所定の印刷動作が終了した後、オートシャットオフモードへの移行時間として所要時間が経過したか否か、すなわちＣＰＵ１５１が排紙ジャム検知センサ８４からの所定の印刷枚数終了に係る出力信号およびタイマ１５７からの移行時間に係る信号に基づいて、ユーザが操作パネル１０４のテンキー１０９で置数した所定の印刷枚数（印刷部数）の印刷動作が終了したと判断した後、オートシャットオフモードへの移行時間の初期値である例えば５分がタイマ１５７で計時されたと判断すると、オートシャットオフモードを実行すべくステップＳ８へ進む。ここで、オートシャットオフモードへの移行時間である５分がタイマ１５７で計時されない場合には、５分が経過するまで同様の動作が繰り返される。
【００７２】
ステップＳ８のサブルーチンプログラムにおいて、オートシャットオフモードへ移行する際に、ＣＰＵ１５１はＲＡＭ１５２に孔版印刷装置１の状態に係るデータを書き込む。ＲＡＭ１５２に書き込まれるデータとしては、印刷枚数、印刷速度、製版濃度といったような操作パネル１０４で設定される各種設定データと、マシン状態（孔版印刷装置１の状態）に係るデータが挙げられる。マシン状態に係るデータとしては、用紙有無検知センサ３６，４３，４４の用紙有無データ、用紙サイズ検知センサ４５，４６，４７の用紙サイズデータ、用紙残量検知センサ５７，５８の用紙残量データ、プラテンローラ検知センサ５５のプラテンローラ圧接データ、マスタ先端検知センサ５６のマスタ初期位置データ、マスタロール有無検知センサ５９のマスタロール有無データ、インキ量検知センサ６８のインキ量データ、版胴軸方向位置検知センサ６９の版胴軸方向位置データ、版胴周方向位置検知センサ７０の版胴周方向位置データ、フェンス位置検知センサ８５のフェンス位置データ、満杯検知センサ１００からの満杯検知データとが挙げられる。
【００７３】
ＲＡＭ１５２に書き込まれるデータとしては、上記したものの他に、前回の主電源がオフしたのはオートシャットオフモードによるものなのか、それともユーザにより主電源スイッチ１２６が強制的にオフされたものか等の情報・データもある。例えば、図７を参照して後述するように、主電源スイッチ１２６の投入・オンによる主電源のオン時、前回の主電源がオフした要因が何かをチェックしそれがオートシャットオフモードによるものである場合、オートシャットオフ移行の前の設定状態を再現する。このとき、不必要な初期化動作はしない。一方の強制的なオフである場合は、ＲＡＭ１５２をクリアし、通常の初期化動作を行うこととなる。
【００７４】
ステップＳ８において、ＣＰＵ１５１はＲＡＭ１５２に孔版印刷装置１の状態に係るデータを書き込んだ後、オートシャットオフ作動フラグ（オートシャットオフ設定のための識別フラグ）をＲＡＭ１５２に書き込み・格納する。
次いで、ステップＳ９のサブルーチンプログラムに進み、ＣＰＵ１５１はオートシャットオフ動作、すなわちオートシャットオフスイッチ１２７に対してオートシャットオフ指令信号を送信して、オートシャットオフスイッチ１２７をオフさせる。これにより、主電源がオフされ、孔版印刷装置１の制御部８を含む上記各部・装置への電力供給が完全に遮断されて、従来技術における省電力モードでも若干あった電力の消費（上記特許文献１における省電力モード表示手段１２３のＬＥＤへの電力供給等）が、オートシャットオフモードへ移行完了したことで全く無くなった。
【００７５】
次に、図７を参照して、オートシャットオフモードからの復帰時に係る制御動作を説明する。始めに、ユーザによって主電源スイッチ１２６が投入・オンされることにより、オートシャットオフモードが解除され通常動作モードに復帰する。主電源スイッチ１２６がオンされると、ＰＳＵ１２９を介して制御装置１５０を含む孔版印刷装置１の各部・装置に＋２４Ｖ、±１２Ｖ、＋５Ｖの電力供給が再び開始され、孔版印刷装置１の全ての出力がオンされる。
【００７６】
制御装置１５０に＋５Ｖの電力供給が供給されると、直ちに、ＣＰＵ１５１によってＲＡＭ１５２に書き込み・格納されていたデータの読み出しが行われる（ステップＳ１１参照）。次いで、ステップＳ１２に進み、ＲＡＭ１５２に書き込み・格納されていたオートシャットオフ作動フラグが有るか否かが判断される。オートシャットオフ作動フラグが有るイエスの場合には、ステップＳ１３に進み、オートシャットオフ作動フラグが無いノーの場合には、ステップＳ１６に進む。
【００７７】
ステップＳ１３に移行する条件としては、オートシャットオフ作動フラグが有ることによる、つまり前回の主電源がオフした要因がオートシャットオフモードによるものであったので、この際オートシャットオフ移行の前の設定状態を再現する。すなわち、この際ＣＰＵ１５１は、オートシャットオフモードへ移行する時にＲＡＭ１５２に書き込まれ・格納された前回の各データを呼び出し、この前回の各データと復帰時（解除時）の各データとを照合・比較する。
【００７８】
ＣＰＵ１５１が比較した結果、変化がある場合、つまりオートシャットオフモードに入る時のデータと復帰時のデータとが異なる場合には、その異なる部位のみを初期化動作（イニシャライズ動作）させ、あるいは表示を変更させることで製版待機状態となる。ただし、オートシャットオフモードに入る時に満杯検知センサ１００がオンしていて、復帰時にオフしている場合には無視される（ステップＳ１４ないしステップＳ１５参照）。
【００７９】
ＣＰＵ１５１が比較した結果、変化がない場合、つまりオートシャットオフモードに入る時のデータと復帰時のデータとが完全に一致した場合には、孔版印刷装置１は、不必要な初期化動作をすることなくリターン・製版待機状態となる。
一方、ステップＳ１６に移行する条件としては、オートシャットオフ作動フラグが無く、前回の主電源がオフした要因がユーザによる主電源スイッチ１２６の強制的なオフである場合であるため、ＣＰＵ１５１はＲＡＭ１５２に格納されているデータ等をクリアし、通常の初期化動作（通常イニシャライズ動作）を行うこととなる。
【００８０】
以上説明したように、本実施形態等によれば、孔版印刷装置１の不使用時において、オートシャットオフモードへ移行するための所定の条件を満足したときに、制御によって主電源スイッチ１２６のオートシャットオフスイッチ１２７を切るオートシャットオフモードを実行させる制御手段としてのＣＰＵ１５１と、オートシャットオフモードへ移行する際に、孔版印刷装置１の各部・装置の状態を記憶する装置状態記憶手段としてのＲＡＭ１５２とを有していることにより、孔版印刷装置１の主電源を自動的にオフして、孔版印刷装置１の制御部８を含む上記各部・装置への電力供給を完全に遮断するので、従来技術における省電力モードでも若干あった電力の消費が、オートシャットオフモードへ移行することによって完全になくすことができる。
本実施形態等によれば、オートシャットオフモードへの移行時間およびオートシャットオフモードへ移行させるか否かの選択を、例えば操作パネル１０４の各種キーを操作することで可能としたことで、よりユーザのニーズおよび使用目的に合わせることができる。
本実施形態等によれば、Ｉ／Ｆコントローラ１５５の接続があって、パソコン１５６からの画像データ信号の送信およびこれに基づく印刷出力がある場合には、遠隔操作時における使い勝手の向上が図れる。
【００８１】
また、本実施形態等によれば、ステップＳ３において、孔版印刷装置１が作動中状態にある場合、オートシャットオフモードヘの移行を禁止することにより、二次的に起こり得る復帰処理時間浪費等のトラブルを未然に防止することが可能となる。ステップＳ４においてサービスマンコール状態にある場合、ステップＳ５においてジャム報知状態にある場合、それぞれオートシャットオフモードヘの移行を禁止することにより、故障箇所の修復・修理、ジャム処理のための迅速な対応が可能となる。またステップＳ６において、版胴６０の外周面にマスタ４８が巻装されていない状態にある場合、オートシャットオフモードヘの移行を禁止することにより、二次的に起こり得るインキ中の水分蒸発による印刷不良のトラブルを未然に防止することが可能となる。
また、本実施形態等によれば、オートシャットオフの移行および解除での状態チェックにより、変化がないと判断した箇所についてイニシャライズ動作は行わない制御にしたので、イニシャライズ動作で費やす時間および消費電力を低減することが可能となる。
【００８２】
以上述べたとおり、本発明を特定の実施形態等について説明したが、本発明が開示する技術的範囲は、上述した実施形態等に例示されているものに限定されるものではなく、それらを適宜組み合わせて構成してもよく、本発明の範囲内において、その必要性および用途等に応じて種々の実施形態や変形例あるいは実施例を構成し得ることは当業者ならば明らかである。例えば、次のように構成するようなことも、本発明の開示する範囲に過ぎない。
すなわち、図５のステップＳ２において若干言及したように、図１ないし図７に示された構成および動作例としての本発明のオートシャットオフモードと特開２０００−１１８１１２号公報記載の公知の省電力モードとを選択的に実行可能な構成を有し、オートシャットオフモードまたは省電力モードに例えば手動で切り換えるモード切換手段としてのモード切換キーを付加した技術構成であってもよい。
【産業上の利用可能性】
【００８３】
本発明は、上記実施形態等で例示した印刷装置の一例としての孔版印刷装置に限らず、例えば特開平７−１７０１３号公報に示されているような版胴（印刷ドラム）の外側からインキを供給する構成の印刷装置等にも適用ないし準用可能である。
【図面の簡単な説明】
【００８４】
【図１】本発明の一実施形態を示す孔版印刷装置全体の概略的な正面図である。
【図２】上記実施形態に用いられる操作パネルの概略的な平面図である。
【図３】上記実施形態の要部の制御構成を示すブロック図である。
【図４】上記実施形態の要部の回路図である。
【図５】上記実施形態におけるオートシャットオフモードへの移行時のフローチャートである。
【図６】図５の続きのフローチャートである。
【図７】上記実施形態におけるオートシャットオフモードからの復帰時のフローチャートである。
【符号の説明】
【００８５】
１  孔版印刷装置（印刷装置の一例）
２  画像読取部
３  給紙部
４  製版部
５  印刷部
６  排紙部
７  排版部
８  制御部
４８  マスタ
６０  版胴
１２６  主電源スイッチ
１２７  オートシャットオフスイッチ（主電源スイッチを構成）
１５０  制御装置（制御手段）
１５１  ＣＰＵ（比較手段、制御手段を構成）
１５２  ＲＡＭ（装置状態記憶手段）
１５５  Ｉ／Ｆコントローラ（入出力仲介装置）
１５６  パソコン（周辺装置の一例、パソコン）
１５７  タイマ（計時手段）
【図１】
2006142664.tif 000003
【図２】
2006142664.tif 000004
【図３】
2006142664.tif 000005
【図４】
2006142664.tif 000006
【図５】
2006142664.tif 000007
【図６】
2006142664.tif 000008
【図７】
2006142664.tif 000009